(57)【要約】      （修正有）【課題】ＬＥＤランプの体積の縮小が可能で、優れた散熱効果を達成しながら、コストの引き下げが可能であるＬＥＤランプの散熱構造を提供する。【解決手段】ＬＥＤランプの散熱構造は、固定片１、複数の伝熱部品２を備え、固定片１にはＬＥＤ３ピン３１を挿入する複数の第一挿入接続孔、散熱部品を挿入する第二挿入接続孔１２、及び第二挿入接続孔１２と平行に対応する第三挿入接続孔１３を設置し、これにより第一、第二挿入接続孔１２、１３は導電層により相互に連接し、第三挿入接続孔１３には独立した導電層を設置し、複数のＬＥＤ３を固定片１の第一挿入接続孔１１に挿入し、伝熱部品２を第二、第三挿入接続孔１２、１３に挿入し、ＬＥＤ３のピン３１を導電層に溶接し、LEDランプを構成し、LED３が点灯すると、その作動により発する熱は、ＬＥＤ３が保留する一定の長さのピン３１、固定片１の導電層が形成する延伸面積、及び各ＬＥＤ３ピン３１が連接する伝熱部品２により発散される。【選択図】図１
0003153316.tif 000002
【実用新案登録請求の範囲】
【請求項１】
固定片、複数のLED、伝熱部品を備え、
前記固定片には、複数の第一挿入接続孔と第二挿入接続孔、及び前記第二挿入接続孔と平行に対応する第三挿入接続孔を設置し、
これにより、前記第一、第二挿入接続孔は、導電層により相互に連接し、前記第三挿入接続孔には、独立した導電層を設置し、
前記複数のLEDを、ピンにより前記固定片の挿入接続孔に挿入し、前記固定片の導電層に溶接し、
前記伝熱部品を、前記固定片の第二挿入接続孔と第三挿入接続孔に挿入し、前記固定片の導電層に溶接し、
前記の構成部材の組合せにより、LEDランプを構成し、前記LEDが点灯すると、その作動により発する熱は、前記LEDが保留する一定の長さのピン、前記固定片の導電層が形成する延伸面積、及び前記各LEDピンが連接する伝熱部品により発散され、
これにより、LEDランプの製造はより容易になり、しかも体積の縮小が可能となり、さらに、優れた散熱効果を達成しながら、コストの引き下げが可能であることを特徴とするLEDランプの散熱構造。
【請求項２】
前記伝熱部品は、概ねコの字状を呈し、しかも溶接可能な鉄製ピン、或いは他の伝熱効果を備え、かつ溶接可能な金属部品であることを特徴とする請求項１に記載のLEDランプの散熱構造。
【請求項３】
前記固定片は、回路板で、前記各導電層は、前記回路板にレイアウトする印刷回路であることを特徴とする請求項１に記載のLEDランプの散熱構造。
【請求項４】
前記導電層を備える回路板である印刷回路板は、片面或いは両面で、これにより散熱の面積を広げることができることを特徴とする請求項１に記載のLEDランプの散熱構造。
【考案の詳細な説明】
【技術分野】
【０００１】
本考案はLEDランプの散熱構造に関し、特にコストが低廉で、製造が容易であり、優れた散熱効果を備え、しかもコンパクトなLEDランプの散熱構造に関する。
【背景技術】
【０００２】
LEDは消費電力が低く、輝度が高いという長所を備えるため、近年幅広い開発がなされ、各種の製品に応用されている。しかし、LED部品は、点灯時に非常に高い熱を発生し、これがLEDの使用寿命に影響を及ぼし、重大な例では損壊をも引き起こす。よって、一般的なLEDランプにはみな散熱構造が設置されており、熱を発散することで、LEDの正常な作動を保持する。従来のLEDランプの散熱構造は、面積が極めて大きく、しかもフィンを排列する散熱片により主に散熱を行なう。そのため、LEDランプ全体の体積を縮小することができないばかりか、製造コストも高くならざるを得ず、競争力がないため、理想的とは言いがたい。本考案は、従来のLEDランプの散熱構造の上記した欠点に鑑み、構造が簡易で、コストを低く抑えることができ、コンパクトなLEDランプの散熱構造を提供するものである。
【考案の概要】
【考案が解決しようとする課題】
【０００３】
本考案が解決しようとする課題は、LEDランプの散熱効果をより向上させ、コストをより低廉とし、体積を縮小可能であるため、製品の競争力を高めることができるLEDランプの散熱構造を提供することである。
【課題を解決するための手段】
【０００４】
上記課題を解決するため、本考案は下記のLEDランプの散熱構造を提供する。
LEDランプの散熱構造は、固定片、複数の伝熱部品を備え、
該固定片には、LEDピンを挿入する複数の第一挿入接続孔、散熱部品を挿入する第二挿入接続孔、及び該第二挿入接続孔と平行に対応する第三挿入接続孔を設置し、
これにより該第一、第二挿入接続孔は導電層により相互に連接し、該第三挿入接続孔には独立した導電層を設置し、
該複数のLEDを該固定片の挿入接続孔に挿入し、該伝熱部品を第二、第三挿入接続孔に挿入し、該LEDのピンを導電層に溶接し、LEDランプを構成し、
該LEDが点灯すると、その作動により発する熱は、該LEDが保留する一定の長さのピン、該固定片の導電層が形成する延伸面積、及び該各LEDピン間の伝熱部品により発散され、
こうして、LEDランプの体積の縮小が可能で、優れた散熱効果を達成しながら、コストの引き下げが可能で、
該各伝熱部品は、概ねコの字状を呈し、しかも伝熱効果を備えた金属部品で、
該固定片は、回路板で、該導電層は、該回路板にレイアウトする印刷回路で、
該導電層を備える回路板である印刷回路板は、片面或いは両面で、これにより散熱の面積を広げることができる。
【考案の効果】
【０００５】
本考案は、本考案は導電層を設置する固定片に、LED間に設置する伝熱部品を対応させ、LEDランプの散熱構造を形成し、これにより、LEDランプの散熱効果はより向上し、コストはより低廉となり、しかも、体積を縮小可能であるため、製品の競争力を高めることができる。
【図面の簡単な説明】
【０００６】
【図１】本考案の立体図である。
【図２】本考案の立体分解図である。
【図３】本考案組立て後の実施例図である。
【図４】本考案組立て後の平面図である。
【考案を実施するための形態】
【０００７】
以下に図面を参照しながら本考案を実施するための最良の形態について詳細に説明する。
【０００８】
本考案の立体図、立体分解図、組立て後の実施例図である図１、２、３に示すように、本考案のLEDランプ１００は、固定片１と複数の伝熱部品２を備える。固定片１には、複数の第一挿入接続孔１１と第二挿入接続孔１２、及び第二挿入接続孔１２と平行に対応する第三挿入接続孔１３を設置する。これにより、第一、第二挿入接続孔１１、１２は、導電層１４により相互に連接し、第三挿入接続孔１３には、独立した導電層１４を設置する。本実施例中では、固定片１は回路板で、各導電層１４は、固定片１にレイアウトする印刷回路である。導電層１４を備える回路板である印刷回路板は、片面或いは両面である。
各伝熱部品２は、本考案の実施例中では、コの字状で、しかも溶接可能な鉄製ピン、或いは他の伝熱効果を備え、かつ溶接可能な金属部品である。
【０００９】
本考案の組立て時には、図示の実施例のように、先ずは、複数のLED３をピン３１により、固定片１の第一挿入接続孔１１にそれぞれ挿入し、ピン３１の長さを保留する。次に、伝熱部品２を、第二挿入接続孔１２と第三挿入接続孔１３に挿入する。これにより、LED３のピン３１と、伝熱部品２は、固定片１の導電層１４にそれぞれ溶接される。
【００１０】
上記した構成部材の組合せにより、LEDランプ１００を構成する。こうして、各固定片１の導電層１４に通電すると、LED３は点灯する。LED３の点灯時に、その作動により発する熱は、LED３が保留する一定の長さのピン３１、固定片１の導電層１４が形成する延伸面積、及び各LED３のピン３１間に連結する伝熱部品２により、発散される。これにより、LEDランプ１００の製造はより容易になり、しかも体積の縮小が可能となる。さらに、優れた散熱効果を達成しながら、コストを引き下げることもできる。
【００１１】
本考案組立て後の実施例図である図３に示すように、本考案の組立て後には、各伝熱部品２は、各LED３のピン３１にそれぞれ連結し、第二挿入接続孔１２と第三挿入接続孔１３を接続する。これにより、LED３の点灯時には、その作動により発生する熱は、LED３が保留する一定の長さのピン３１、固定片１の導電層１４が形成する延伸面積、及び屈折状の各伝熱部品２により、発散される。
【００１２】
本考案組立て後の平面図である図４に示すように、本考案の組立て後には、LED３のピン３１は、第一挿入接続孔１１に溶接される。各伝熱部品２は、第二及び第三挿入接続孔１２、１３にそれぞれ溶接される。これにより、LED３の点灯時には、その作動により発生する熱は、LED３が保留する一定の長さのピン３１により散熱される他、固定片１の導電層１４連結時に形成される一定の延伸面積によっても、散熱の作用を発揮する。さらに、第二挿入接続孔１２と第三挿入接続孔１３に設置する屈折状の伝熱部品２は、熱の一部を導引して、屈折後に形成する延伸面積により発散する。こうして、散熱の効果を向上させることができる。
【００１３】
上記したように、本考案は導電層を設置する固定片に、LED間に設置する伝熱部品を対応させ、LEDランプの散熱構造を形成し、これにより、LEDランプの散熱効果はより向上し、コストはより低廉となり、しかも、体積を縮小可能であるため、製品の競争力を高めることができる。
【産業上の利用可能性】
【００１４】
本考案は実用新案の要件である新規性を備え、従来の同類製品に比べ十分な進歩を有し、実用性が高く、社会のニーズに合致しており、産業上の利用価値は非常に大きい。
【符号の説明】
【００１５】
１      固定片
１１    第一挿入接続孔
１２    第二挿入接続孔
１３    第三挿入接続孔
１４    導電層
２      伝熱部品
３      LED
３１    ピン
１００  LEDランプ
【図１】
0003153316.tif 000003
【図２】
0003153316.tif 000004
【図３】
0003153316.tif 000005
【図４】
0003153316.tif 000006
【手続補正書】
【提出日】平成21年6月29日(2009.6.29)
【手続補正１】
【補正対象書類名】明細書
【補正対象項目名】０００４
【補正方法】変更
【補正の内容】
【０００４】
上記課題を解決するため、本考案は下記のLEDランプの散熱構造を提供する。
LEDランプの散熱構造は、固定片、複数の伝熱部品を備え、
該固定片には、LEDピンを挿入する複数の第一挿入接続孔、散熱部品を挿入する第二挿入接続孔、及び該第二挿入接続孔と平行に対応する第三挿入接続孔を設置し、
該第一、第二挿入接続孔は導電層により相互に連接し、該第三挿入接続孔には独立した導電層を設置し、
該複数のLEDを該固定片の挿入接続孔に挿入し、該伝熱部品を第二、第三挿入接続孔に挿入し、該LEDのピンを導電層に溶接し、LEDランプを構成し、
該LEDが点灯すると、その作動により発する熱は、該LEDが保留する一定の長さのピン、該固定片の導電層が形成する延伸面積、及び該各LEDピン間の伝熱部品により発散され、
こうして、LEDランプの体積の縮小が可能で、優れた散熱効果を達成しながら、コストの引き下げが可能で、
該各伝熱部品は、概ねコの字状を呈し、しかも伝熱効果を備えた金属部品で、
該固定片は、回路板で、該導電層は、該回路板にレイアウトする印刷回路で、
該導電層を備える回路板である印刷回路板は、片面或いは両面で、散熱の面積を広げることができる。
【手続補正２】
【補正対象書類名】実用新案登録請求の範囲
【補正対象項目名】請求項１
【補正方法】変更
【補正の内容】
【請求項１】
固定片、複数のLED、伝熱部品を備え、
前記固定片には、複数の第一挿入接続孔と第二挿入接続孔、及び前記第二挿入接続孔と平行に対応する第三挿入接続孔を設置し、
前記第一、第二挿入接続孔は、導電層により相互に連接し、前記第三挿入接続孔には、独立した導電層を設置し、
前記複数のLEDを、ピンにより前記固定片の挿入接続孔に挿入し、前記固定片の導電層に溶接し、
前記伝熱部品を、前記固定片の第二挿入接続孔と第三挿入接続孔に挿入し、前記固定片の導電層に溶接し、
構成部材の組合せにより、LEDランプを構成し、前記LEDが点灯すると、その作動により発する熱は、前記LEDが保留する一定の長さのピン、前記固定片の導電層が形成する延伸面積、及び前記各LEDピンが連接する伝熱部品により発散され、
LEDランプの製造はより容易になり、しかも体積の縮小が可能となり、さらに、優れた散熱効果を達成しながら、コストの引き下げが可能であることを特徴とするLEDランプの散熱構造。
【手続補正３】
【補正対象書類名】実用新案登録請求の範囲
【補正対象項目名】請求項４
【補正方法】変更
【補正の内容】
【請求項４】
前記導電層を備える回路板である印刷回路板は、片面或いは両面で、散熱の面積を広げることができることを特徴とする請求項１に記載のLEDランプの散熱構造。